(57)【特許請求の範囲】
【請求項１】
階層メニューを表示するメニュー表示領域を具備する表示部と、該メニュー表示領域に表示されている階層メニューにより特定の機能を選択し、更にサブメニューとして表示された複数の設定状態から１つを選択して設定する設定手段と、を備えた電子機器において、前記表示部の周辺部には前記機能の設定状態を示すアイコン表示領域を有し、機能毎にそれぞれの設定状態を示しているアイコンの中から前記設定手段により設定された設定状態に該当するアイコンを前記アイコン表示領域の所定位置に表示するとともにこれらの設定状態のアイコンがスーパーインポーズ表示または消灯されるステータスキーを備えたことを特徴とする電子機器。
【発明の詳細な説明】
【０００１】
【発明の属する技術分野】
【０００２】
【従来の技術】
電子機器としてＴＶ会議システムを例として述べる。従来のＴＶ会議システムは話者間で、テレビカメラとマイクロホンを入力装置としテレビモニターとスピーカーを出力装置とし、その画像・音声情報を通信回線を介してデータを授受することによりコミュニケーションをとることを目的としている。音声情報の授受については、マイクロホンとスピーカの変わりに通常使われているハンドセット、即ち電話機を用いることもある。このように、扱う信号が画像音声信号であるため、画質の設定、音質の設定、通信手段、信号の送出／受入、入力装置の制御、出力装置の制御、さらには留守録機能も備えると留守録データの記憶装置の制御等沢山の機能の設定が求められている。このため、これらすべての多機能の設定を機器本体またはリモコンのスイッチまたはボタンで設定するには、操作が煩雑になり、かつ使い勝手が悪い為、メニュー画面を表示させる方法が広く用いられている。いま、ＴＶ会議システムにあるリップシンクの設定を行う操作を示す。リップシンクとは画像信号と音声信号を出力する際に、これら二つの信号の同期をとるモードのことである。いま、モニターには会議中のビデオ画が表示されているものとする。図６は操作リモコン６０の一例である。図６においてメニューキー６１を押すとモニター上には図７のメニュー画面がスーパーインポーズ表示される。まず、操作リモコン６０の方向キー６２、６３を押して、選択項目「▲５▼  設定」を選ぶ。どの項目が選択されているかは、メニュー上のカーソル７１で示される。選択項目が選ばれたら決定キー６４を押すとその項目のサブメニューが表示される。選択項目「▲５▼  設定」にカーソル７１が載っている表示で決定キー６４を押すと図８のサブメニューが表示される。この図８の表示で選択項目「▲８▼  その他の設定」を選択し、決定キー６４を押すと図９のサブメニューが表示される。操作リモコン６０の方向キー６２、６３を使って、「リップシンクＯＮ、ＯＦＦ」にカーソル９１を移動した後、方向キー６５、６６を使って「リップシンクＯＮ」を選択し、決定キー６４を押すと設定が完了する。この後メニューキー６１を押せばサブメニュー、メニュー画面は消えて、モニターにはビデオ画のみ表示される。もう一度メニューキー６１を押すと図７のメニュー画面がスーパーインポーズ表示される。通常、テレビ会議においては、メニュー表示を表示させない状態で行うので、たとえば会議中にリップシンクの有無を確認したい場合、上記の操作で図９のサブメニュー画を表示させなければならない。
【０００３】
【発明が解決しようとする課題】
このように、従来のＴＶ会議システムのように階層メニューでの設定を行い、現状の機器の機能の設定を確認しようとすると、その機能が表示される階層まで操作を繰り返さなければならなかった。
【０００４】
【課題を解決するための手段】
本発明はこれらの課題を解決するためのものであり、階層メニューを表示するメニュー表示領域を具備する表示部と、該メニュー表示領域に表示されている階層メニューにより特定の機能を選択し、更にサブメニューとして表示された複数の設定状態から１つを選択して設定する設定手段と、を備えた電子機器において、前記表示部の周辺部には前記機能の設定状態を示すアイコン表示領域を有し、機能毎にそれぞれの設定状態を示しているアイコンの中から前記設定手段により設定された設定状態に該当するアイコンを前記アイコン表示領域の所定位置に表示するとともにこれらの設定状態のアイコンがスーパーインポーズ表示または消灯されるステータスキーを備えた電子機器を提供する。
【０００５】
【発明の実施の形態】
以下、本発明の実施例について図面を用いて説明する。
図１は本発明のＴＶ会議システムの構成を説明したブロック図である。図１において、１はシステム全体を制御するＣＰＵ、２は送信ビデオ映像信号を入力するカメラ、３はカメラからのアナログ信号をディジタル信号に変換するＡ／Ｄコンバータ、４はディジタル映像信号、音声信号をＴＶ会議システムで使用する信号形態に変換するＶＩＤＥＯ／ＡＵＤＩＯ信号処理器、５は相手端末と通信を行うための通信制御器、６は本システムとＩＳＤＮ回線網とのインターフェースであるＩＳＤＮインターフェース、７は送信音声信号を入力するマイク、８はマイクからのアナログ信号をディジタル信号に変換するＡ／Ｄコンバータ、９は受信または送信音声信号を出力するスピーカ、１０はＶＩＤＥＯ／ＡＵＤＩＯ信号処理器からのディジタル音声信号をアナログ信号に変換するＤ／Ａコンバータ、１１はＣＰＵにアクセスするハードディスクドライブ（ＨＤＤ）、１２はビデオ信号に文字やアイコンをスーパーインポーズ表示するためのスーパーインポーズ制御器、１３はスーパーインポーズ画面データを蓄積するＶＲＡＭ、１４はＶＩＤＥＯ／ＡＵＤＩＯ信号処理器からの映像信号とスーパーインポーズ信号を合成し、ディジタルビデオ信号に変換するためのビデオエンコーダ、１５はディジタルビデオ信号をアナログ信号に変換するＤ／Ａコンバータ、１６はビデオ信号を出力するモニターである。なお、本システムにおいては、マイク７からの入力信号ラインとスピーカ９の出力信号ラインについては図示しないハンドセットを用意し、両信号ラインを同時にハンドセットに切り替えることでハンドセットからの音声信号の入出力も可能である。
【０００６】
【実施例】
次に、図１に示すＴＶ会議装置の操作方法について説明する。
図２は本発明のＴＶ会議システムで使用されるモニタの構成である。図２において、モニター画面２０の中に、選択メニュー表示領域２１と機能の設定状態を示すアイコン表示領域２２がある。アイコン表示領域２２にはアイコンが９ヶ配置してある。各々のアイコン表示位置についてアイコン表示位置２０１は本体制御装置がハンドセットまたは操作パッドを識別を表わすアイコンが表示され、アイコン表示位置２０２は呼制御情報を表わすアイコンが表示され、アイコン表示位置２０３は留守録モードの有無を表わすアイコンが表示され、アイコン表示位置２０４はリップシンクの有無を表わすアイコンが表示され、アイコン表示位置２０５は送信画質を表わすアイコンが表示され、アイコン表示位置２０６は通信時の遠隔操作モードを表わすアイコンが表示され、アイコン表示位置２０７は自端末の入力ソースを表わすアイコンが表示され、アイコン表示位置２０８は表示画面が動画または静止画を表わすアイコンが表示され、アイコン表示位置２０９は音声のみＯＦＦされるミュート状態を表わすアイコンが各々配置される。
図３には各アイコン表示位置において表示されるアイコンのデザインを説明した図である。本体制御装置の識別としては二つの状態があり、各々操作パッド３０１、ハンドセット３０２のうち一つが選択表示される。呼制御情報としては七つの状態があり、各々回線ケーブル抜け状態３０３、未通信状態３０４、６４ｋｂｐｓで通信中３０５、２×６４ｋｂｐｓで通信中３０６、５６ｋｂｐｓで通信中３０７、２×５６ｋｂｐｓで通信中３０８、音声電話として通信中３０９のうち一つが選択表示される。
留守録モードとしては二つの状態があり、各々留守録設定オン３１０、留守録設定オフ３１１のうち一つが選択表示される。リップシンク状態としては二つの状態があり、各々リップシンクあり３１２、リップシンクなし３１３のうち一つが選択表示される。送信画質状態としては四つの状態があり、各々動き優先モード３１４、標準モード３１５、画質優先モード３１６、高画質モード３１７のうち一つが選択表示される。遠隔操作モードとしては二つの状態があり、各々遠隔操作モード３１８、非遠隔操作モード３１９のうち一つが選択表示される。自端末入力ソースとしては三つの状態があり、各々１番ポートからの入力３２０、２番ポートからの入力３２１、３番ポートからの入力３２２のうち一つが選択表示される。動画／静止画識別状態としては３つの状態があり、各々非静止画状態３２３、自画面送信画のみ静止画状態３２４、相手画面送信画のみ静止画状態３２５のうち一つが選択表示される。
ミュート状態としては４つの状態があり、各々自端末マイクケーブル抜け状態３２６、自端末相手端末とも非ミュート状態（標準状態）３２７、自端末ミュート相手端末非ミュート状態３２８、自端末非ミュート相手端末ミュート状態３２９のうち一つが選択表示される。いまこのＴＶ会議装置において、本体制御装置として操作パッドの時、図３のアイコン３０１が図２のアイコン表示位置２０１に置かれる。さらに、呼制御情報として未通信状態のとき図３のアイコン３０４が図２のアイコン表示位置２０２に、留守録モードとして留守録設定オフのとき図３のアイコン３１１が図２のアイコン表示位置２０３に、リップシンク状態としてリップシンクなしのとき図３のアイコン３１３が図２のアイコン表示位置２０４に、送信画質状態として標準モードのとき図３のアイコン３１５が図２のアイコン表示位置２０５に、遠隔操作モードとして非遠隔操作モードのとき図３のアイコン３１９が図２のアイコン表示位置２０６に、自端末入力ソースとして１番ポートからの入力のとき図３のアイコン３２０が図２のアイコン表示位置２０７に、動画／静止画識別状態として非静止画状態のとき図３のアイコン３２３が図２のアイコン表示位置２０８に、ミュート状態として自端末相手端末とも非ミュート状態（標準状態）のとき図３のアイコン３２７が図２のアイコン表示位置２０９に置かれる。この状態をアイコン表示したものを図４に示す。このＴＶ会議システムは図５に示す操作パッドで制御されるが、ステータスキー５０１を押下すると何時でも図４のようなアイコン表示がスーパーインポーズ表示される。また、スーパーインポーズ表示状態でステータスキー５０１を押せばアイコン表示は消える。
【０００７】
【発明の効果】
以上のとおり、本発明は前記電子機器の動作状態に対応するアイコンがその動作状態に応じてテレビモニターの画面の所定位置に表示されることにより、電子機器の画面に表示されるアイコンの状態を確認するだけで、一目で動作状態を把握することができる。
【図面の簡単な説明】
【図１】  本発明の電子機器の構成を説明したブロック図である。
【図２】  本発明の電子機器で使用されるモニタの構成である。
【図３】  各アイコン表示位置において表示されるアイコンのデザインを説明した図である。
【図４】  本発明のメニュー図。
【図５】  操作パッド。
【図６】  従来の操作リモコンを説明した図である。
【図７】  従来のメニュー図
【図８】  従来のメニュー図
【図９】  従来のメニュー図
【符号の説明】
１  ＣＰＵ
２  カメラ
３  Ａ／Ｄ変換器
４  ビデオ／オーディオ信号処理器
５  通信制御器
６  ＩＳＤＮインタフェース
７  マイク
８  Ａ／Ｄ変換器
９  スピーカー
１０  Ｄ／Ａ変換器
１１  ハードディスクドライブ
１２  スーパーインポーズ制御器
【図１】
0003811240.tif 000002
【図２】
0003811240.tif 000003
【図３】
0003811240.tif 000004
【図４】
0003811240.tif 000005
【図５】
0003811240.tif 000006
【図６】
0003811240.tif 000007
【図７】
0003811240.tif 000008
【図８】
0003811240.tif 000009
【図９】
0003811240.tif 000010